(57)【要約】【課題】そして本発明は、ブラウザを実装した携帯電話機を対象としたアフィリエイト・プログラム実施装置を提供する。【解決手段】アクセスしてきた携帯電話機の契約者ＩＤを取得する手段と、携帯電話機の契約者ＩＤと契約者の個人情報とを会員データベースに登録する手段と、商用サイトのＵＲＬとトランザクションの種類に応じたポイントとを対応付けしてマーチャントデータベースに記憶管理する手段と、会員の携帯電話機に送付したＷｅｂページを介して商用サイトへのリンクが指示されると、契約者ＩＤと当該商用サイトとを対応付けしてリンク指示データベースに記憶する手段と、携帯電話機あるいは商用サイトから送付されてくるトランザクション完遂報告を成果データベースに記憶する手段と、成果データベースとマーチャントデータベースの記憶情報に基づいて契約者ＩＤに適宜なポイントを対応付けしてポイントデータベースに記録する手段とを備えている。【選択図】  図２
2006259983.tif 000002
【特許請求の範囲】
【請求項１】
インターネットに接続されたコンピュータから構成されるアフィリエイト・プログラム実施装置であって、
ブラウザを実装するとともに、移動体通信網を経由してインターネット上のＷＷＷサーバーにアクセスする際に、契約者を特定するための契約者ＩＤを送出する携帯電話機を通信対象とし、
アクセスしてきた前記携帯電話機から契約者ＩＤを取得する手段と、
アクセスしてきた携帯電話機から個人情報を含む会員登録要求を受け付けると、当該携帯電話機の契約者ＩＤと前記個人情報とを会員データベースに登録して管理する会員登録手段と、
多数の商用サイトのそれぞれについて、商用サイトを特定するための商用サイトＩＤに商用サイトのＵＲＬとトランザクションの種類に応じたポイントとを対応付けしてマーチャントデータベースに記憶管理する商用サイト管理手段と、
アクセスしてきた携帯電話機に商用サイトへアクセスさせるためのリンクが設定されたＷｅｂページを送達するとともに、会員の携帯電話機にて、適宜な商用サイトへのリンクが指示されると、当該会員の携帯電話機の契約者ＩＤと指示された商用サイトの識別子とを対応付けしてリンク指示データベースに記憶するリンク指示記録手段と、
前記携帯電話機が前記商用サイトにて何らかのトランザクションを発生させた際に、当該携帯電話機あるいは商用サイトから送付されてくるトランザクションについての完遂報告を受け取ると、当該完遂報告に含まれる商用サイトの識別子と契約者ＩＤとの対応関係を前記リンク指示データベースに照会し、当該対応関係が存在する場合、当該商用サイトと契約者ＩＤとトランザクションの内容とを成果データベースに記憶するトランザクション記録手段と、
成果データベースにおける契約者ＩＤに対応付けされた商用サイトとトランザクションの内容とをマーチャントデータベースに照会し、当該契約者ＩＤに該当のポイントを対応付けしてポイントデータベースに記録するポイント管理手段と、
を備えたアフィリエイト・プログラム実施装置。
【請求項２】
インターネットに接続され、ＷＷＷサーバー機能を備えるとともに、ブラウザを実装するとともに、移動体通信網を経由してインターネット上のＷＷＷサーバーにアクセスする際に、契約者を特定するための契約者ＩＤを送出する携帯電話機と通信するコンピュータにインストールされるコンピュータプログラムであって、当該コンピュータに、
アクセスしてきた前記携帯電話機からの会員登録要求を受け付けると、当該携帯電話機の契約者ＩＤを取得するとともに、当該携帯電話機の契約者の個人情報とを会員データベースに登録して管理するステップと、
多数の商用サイトのそれぞれについて、商用サイトを特定するための商用サイトＩＤに商用サイトのＵＲＬとトランザクションの種類に応じたポイントとを対応付けしてマーチャントデータベースに記憶管理するステップと、
アクセスしてきた携帯電話機から取得した契約者ＩＤを前記会員データベースに照会して当該携帯電話機のユーザを会員として認証するステップと、
会員の携帯電話機に商用サイトへアクセスさせるためのリンクが設定されたＷｅｂページを送達するとともに、当該携帯電話機にて、適宜な商用サイトへのリンクが指示されると、当該携帯電話機の契約者ＩＤと指示された商用サイトの識別子とを対応付けしてリンク指示データベースに記憶するステップと、
前記携帯電話機が前記商用サイトにて何らかのトランザクションを発生させた際に、当該携帯電話機あるいは商用サイトから送付されてくるトランザクションについての完遂報告を受け取ると、当該完遂報告に含まれる商用サイトの識別子と契約者ＩＤとの対応関係を前記リンク指示データベースに照会し、当該対応関係が存在する場合、当該商用サイトと契約者ＩＤとトランザクションの内容とを成果データベースに記憶するステップと、
成果データベースにおける契約者ＩＤに対応付けされた商用サイトとトランザクションの内容とをマーチャントデータベースに照会し、当該契約者ＩＤに該当のポイントを対応付けしてポイントデータベースに記録するステップと、
を実行させるコンピュータプログラム。
【請求項３】
請求項２に記載のコンピュータプログラムを記録したプログラム格納媒体。
【発明の詳細な説明】
【技術分野】
【０００１】
この発明は、アフィリエイト・プログラムを実施するコンピュータシステムに関する。
【背景技術】
【０００２】
アフィリエイト・プログラムは、ユーザが何らかのトランザクション（商品の購入、アンケートへの記入、会員登録など）をブラウザにより発生させてはじめて広告料がアフィリエイトに支払われる成功報酬型の広告配信手法である。アフィリエイト・プログラムによれば、広告主は、広告出稿に際してリスクを負うことなく確実な成果（トランザクションの発生）を得た上で広告料を支払うことができる。
【０００３】
アフィリエイト・プログラムの具体的な実施手順としては、まず、ユーザのブラウザが、広告媒体となるＷｅｂページを公開しているＷｅｂサイト（マーチャントサイト）にアクセスし、このマーチャントサイトに設定されている広告主のサイト（マーチャントサイト）へのリンクを指示してマーチャントサイトへアクセスする。マーチャントサイトにてユーザが、何らかのトランザクションを発生させたならば、そのトランザクションの内容に応じてアフィリエイトに報酬を支払う。
【０００４】
なお、マーチャントサイトへアクセスからトランザクション発生までは、連続した一連のネットサーフィンの途上で行われる必要はなく、一度セッションを終了させたり、後日マーチャントサイトを経由せずに直接マーチャントサイトにてトランザクションを発生させたりしても、以前（例えば、１ヶ月以内）にマーチャントサイトを経由してアクセスしてきたことが確認できれば、やはりアフィリエイト・プログラムに基づく成功報酬がアフィリエイトに支払われる、という契約が多い。
【０００５】
また最近では、トランザクションを発生させたユーザに対してポイントサービスを実施できるアフィリエイト・プログラムもある。具体的には、あるマーチャントサイトを経由して広告主サイトにアクセスしてきたブラウザを識別管理し、トランザクションを発生させたユーザにポイントを付与する。ポイントは、例えば、キャッシュバックとして現金に換金してユーザの指定口座に振り込んだり、賞品と交換してユーザに送付したりしている。
【０００６】
そして、アフィリエイト・プログラムを実施するために、トランザクションの発生起源としてユーザが閲覧したマーチャントサイトを特定し、一般ユーザのブラウザが最終的にトランザクションに関わるイベント（商品購入指示、アンケート記入、会員登録指示など）を発生させるまでの情報流通経路を追跡（トラッキング）する処理を実行するコンピュータシステムやプログラムが周知のトラッキング・システムである。
【０００７】
周知のごとく、ブラウザとＷＷＷサーバーとのＨＴＴＰ通信は、一組のリクエストとレスポンスでセッションが完了する。そこで、パーソナルコンピュータ（ＰＣ）のブラウザであれば、アクセスしたＷｅｂサイト内でのブラウザのＷｅｂページ遷移などの一連のセッションを、周知のＣｏｏｋｉｅにより管理している。また、マーチャントサイトからマーチャントサイトへの移動においては、周知のトラッキングＵＲＬを利用して、リンク元のマーチャントサイトと、そのサイト内のどの広告に対するリンク指示が行われたのかをリンク先のマーチャントサイトへ通知している。それによって、マーチャントサイトでは、アクセスしてきたブラウザにより何らかのトランザクションが発生したならば、アフィリエイト・プログラムに基づく成功報酬の支払先となるアフィリエイトを特定することができる。
【０００８】
なお、アフィリエイト・プログラムやトラッキングに関する技術については、以下の特許文献に記載されている。
【特許文献１】特開２００１−１１７８４７号公報
【特許文献２】特開２００２−１１７３１８号公報
【特許文献３】特開２００２−１５７４９４号公報
【発明の開示】
【発明が解決しようとする課題】
【０００９】
ブラウザを実装した携帯電話機（ブラウザフォン）が普及してきた現在、ブラウザフォンのユーザを対象としたマーチャントサイトも数多く存在する。そこで、ブラウザフォンを対象としたアフィリエイト・プログラムの出現が要望されている。しかし、ブラウザフォンは、技術的な仕様や利用形態がＰＣと大きく異なるため、アフィリエイト・プログラムを実現することが極めて困難となっている。
【００１０】
まず、ブラウザフォンは、その仕様上、Ｃｏｏｋｉｅによるセッション管理ができない。確かにブラウザフォンは、インターネット上のＷＷＷサーバーにアクセスする際、自身に固有の端末識別子を送付しているが、頻繁に機種変更が行われるブラウザフォンでは、マーチャントサイトへのアクセスと、そのアクセスを起源としたトランザクションとがある程度近接した時間以内で行われない限り、マーチャントサイトへのアクセスとトランザクションとが同じユーザによるものであるのかどうか確信が持てない。
【００１１】
また、ブラウザフォンを対象とした電子商取引（モバイル商取引）の多くが公式サイトと呼ばれる所定の移動体通信事業者（キャリア）キャリアのブラウザフォンを対象としたＷｅｂサイトである場合が多い。公式サイトは、移動体通信網に直結したＷＷＷサーバーに収容されたＷｅｂサイトであり、公式サイトに属するマーチャントサイトを運営するモバイル商取引業者は、モバイル商取引に関わる代金の徴収を移動体通信業者に代行してもらえる。すなわち、ブラウザフォンのユーザは、自身の電子商取引に関わる代金をブラウザフォンの通信費に加算されてキャリアから請求され、キャリアは、ユーザから徴収した通信費の中から電子商取引代金相当分をマーチャントサイトの管理業者へ支払う。そのため、ユーザは、クレジットカード決済や銀行振り込みなど、秘匿性を有する情報の開示や面倒な手続きなどを要する他の手順での代金決済方法を利用することなく、安心かつ簡単に代金を支払うことができる。
【００１２】
しかし、モバイル商取引の多くが公式サイトで行われている以上、アフィリエイトがその商取引に関与する可能性はほとんど無い。アフィリエイトは、自身のマーチャントサイトの内容を充実させていくことで、より多くの広告を獲得し、アフィリエイト・プログラムに基づくビジネスモデルを構築している。公式サイトの「一人勝ち」状態が続けば、公式サイトの運営事業者は、ユーザ獲得のための努力を怠り、ブラウザフォンを対象としたＷｅｂサイトの内容は自ずとユーザにとっても魅力がないものになる。もちろんユーザは、ポイントサービスなどの付加サービスを享受することも期待できない。これでは、モバイル商取引に関わる企業間の自由競争による健全な発展も望めず、ブラウザフォンを対象とした電子商取引の飛躍的拡大は望めない。
【課題を解決するための手段】
【００１３】
本発明者らは、上記課題の根元について考察した。そして、ブラウザフォンを対象としたアフィリエイト・プログラムを実現させることが、ブラウザフォンを対象としたマーチャントサイト間の健全な自由競争を促し、ユーザに対しても魅力的なサービスを提供でき、ひいてはモバイル商取引業界全体の発展にもつながると確信した。そして、本発明者らは、特定のキャリアに加入しているブラウザフォン（例えば、ＫＤＤＩ株式会社のａｕ通信サービス用携帯電話機）が、契約者、すなわちユーザそのものを特定できる契約者番号（サブスクライバＩＤ）をインターネット上のＷＷＷサーバーにも送付していることに着目した。そして本発明は、サブスクライバＩＤを巧妙に利用し、モバイル商取引においてもアフィリエイト・プログラムを実施可能とすることを目的としている。
【００１４】
本発明は、インターネットに接続されたコンピュータから構成されるアフィリエイト・プログラム実施装置であって、
ブラウザを実装するとともに、移動体通信網を経由してインターネット上のＷＷＷサーバーにアクセスする際に、契約者を特定するための契約者ＩＤを送出する携帯電話機を通信対象とし、
アクセスしてきた前記携帯電話機から契約者ＩＤを取得する手段と、
アクセスしてきた携帯電話機から個人情報を含む会員登録要求を受け付けると、当該携帯電話機の契約者ＩＤと前記個人情報とを会員データベースに登録して管理する会員登録手段と、
多数の商用サイトのそれぞれについて、商用サイトを特定するための商用サイトＩＤに商用サイトのＵＲＬとトランザクションの種類に応じたポイントとを対応付けしてマーチャントデータベースに記憶管理する商用サイト管理手段と、
アクセスしてきた携帯電話機に商用サイトへアクセスさせるためのリンクが設定されたＷｅｂページを送達するとともに、会員の携帯電話機にて、適宜な商用サイトへのリンクが指示されると、当該会員の携帯電話機の契約者ＩＤと指示された商用サイトの識別子とを対応付けしてリンク指示データベースに記憶するリンク指示記録手段と、
前記携帯電話機が前記商用サイトにて何らかのトランザクションを発生させた際に、当該携帯電話機あるいは商用サイトから送付されてくるトランザクションについての完遂報告を受け取ると、当該完遂報告に含まれる商用サイトの識別子と契約者ＩＤとの対応関係を前記リンク指示データベースに照会し、当該対応関係が存在する場合、当該商用サイトと契約者ＩＤとトランザクションの内容とを成果データベースに記憶するトランザクション記録手段と、
成果データベースにおける契約者ＩＤに対応付けされた商用サイトとトランザクションの内容とをマーチャントデータベースに照会し、当該契約者ＩＤに該当のポイントを対応付けしてポイントデータベースに記録するポイント管理手段と、
を備えている。
【００１５】
また本発明は、インターネットに接続され、ＷＷＷサーバー機能を備えるとともに、ブラウザを実装するとともに、移動体通信網を経由してインターネット上のＷＷＷサーバーにアクセスする際に、契約者を特定するための契約者ＩＤを送出する携帯電話機と通信するコンピュータにインストールされるコンピュータプログラムであって、当該コンピュータに、
アクセスしてきた前記携帯電話機からの会員登録要求を受け付けると、当該携帯電話機の契約者ＩＤを取得するとともに、当該携帯電話機の契約者の個人情報とを会員データベースに登録して管理するステップと、
多数の商用サイトのそれぞれについて、商用サイトを特定するための商用サイトＩＤに商用サイトのＵＲＬとトランザクションの種類に応じたポイントとを対応付けしてマーチャントデータベースに記憶管理するステップと、
アクセスしてきた携帯電話機から取得した契約者ＩＤを前記会員データベースに照会して当該携帯電話機のユーザを会員として認証するステップと、
会員の携帯電話機に商用サイトへアクセスさせるためのリンクが設定されたＷｅｂページを送達するとともに、当該携帯電話機にて、適宜な商用サイトへのリンクが指示されると、当該携帯電話機の契約者ＩＤと指示された商用サイトの識別子とを対応付けしてリンク指示データベースに記憶するステップと、
前記携帯電話機が前記商用サイトにて何らかのトランザクションを発生させた際に、当該携帯電話機あるいは商用サイトから送付されてくるトランザクションについての完遂報告を受け取ると、当該完遂報告に含まれる商用サイトの識別子と契約者ＩＤとの対応関係を前記リンク指示データベースに照会し、当該対応関係が存在する場合、当該商用サイトと契約者ＩＤとトランザクションの内容とを成果データベースに記憶するステップと、
成果データベースにおける契約者ＩＤに対応付けされた商用サイトとトランザクションの内容とをマーチャントデータベースに照会し、当該契約者ＩＤに該当のポイントを対応付けしてポイントデータベースに記録するステップと、
を実行させるコンピュータプログラムと、そのコンピュータプログラムを記録したプログラム格納媒体にも及んでいる。
【発明の効果】
【００１６】
本発明のアフィリエイト・プログラム実施装置によれば、ブラウザを実装した携帯電話機を対象としてアフィリエイト・プログラムを実施することができる。
【発明を実施するための最良の形態】
【００１７】
＝＝＝アフィリエイト・プログラムの概略＝＝＝
本発明の実施例におけるアフィリエイト・プログラム実施装置（以下、アフィリエイト装置）は、サブスクライバＩＤを送付可能なブラウザフォンを対象としてアフィリエイト・プログラムに基づくポイントサービスを提供する。したがって、アフィリエイト装置は、サブスクライバＩＤをインターネット上のＷＷＷサーバーに送付可能なブラウザフォンを通信対象とし、マーチャントサイトは、当該ブラウザフォンにより発生されたトランザクションに関してのみアフィリエイト装置に通知することを前提としている。
【００１８】
そして、アクセスしてきたブラウザフォンが、アフィリエイト装置のＷＷＷサーバー機能により公開しているＷｅｂページを起源としてマーチャントサイトにアクセスし、そのマーチャントサイトで何らかのトランザクションを発生させた場合、そのトランザクションの内容に応じてブラウザフォンのユーザにポイントを付与するポイントサービスを提供している。そして、ユーザに付与されたポイントは、アフィリエイト装置の管理運営者（サービス提供者）により、例えば、現金や賞品などに還元されてユーザへ提供される。
【００１９】
＝＝＝ネットワーク構成＝＝＝
本発明の実施例として、本発明の実施方法に基づいてアフィリエイト・プログラムを実施するコンピュータシステム  図１に本発明のアフィリエイト装置を含むネットワーク構成を示した。移動体通信網５０とインターネット４０とがゲートウエイ５１を介して接続され、ブラウザフォン２０がそのゲートウエイ５１を経由してインターネット４０との通信を可能としている。また、マーチャントサイトを公開するＷＷＷサーバー（以下、マーチャントサイト）３０がインターネット４０あるいはキャリアの公式サイトとして移動体通信網５０内に収容されている。
【００２０】
アフィリエイト装置１は、ＷＷＷサーバーとしての機能を備え、サービス提供者と契約関係にあるマーチャントサイト３０を一覧にしたブラウザフォン用のＷｅｂページや、マーチャントサイトをディレクトリやキーワード入力により検索するためのＷｅｂページを公開している。契約関係にあるマーチャントサイトは、キャリアの「公式サイト」であってもよいし、インターネット４０上のＷｅｂサイトであってもよい。いずれにしても、ブラウザフォン２０を契約関係にあるマーチャントサイトへアクセスさせるためのリンクが設定されたＷｅｂページ（窓口ページ）を公開しておけばよい。
【００２１】
会員データベース（ＤＢ）２は、ポイントサービスの享受者となる多数の会員について、サブスクライバＩＤと個人情報とを対応付けした会員情報を記憶管理している。マーチャントＤＢ３は、契約関係にある多数のマーチャントサイトをマーチャントＩＤにより識別管理し、そのマーチャントＩＤごとに、マーチャントサイトのＵＲＬ、運営者、その運営者への連絡先などと、トランザクションの内容に応じたポイントとを対応付けして記憶管理している。
【００２２】
クリックＤＢ４は、窓口ページを起源としてどの会員がどのマーチャントサイトへアクセスしたのかのログを記録している。成果ＤＢ５は、マーチャントサイトにて発生したトランザクションに関わる情報（トランザクション完遂報告）を記録している。本実施例では、マーチャントＩＤにサブスクライバＩＤとトランザクションの内容を対応付けした情報をトランザクション完遂報告としている。ポイントＤＢ６は、ポイントサービスに関わる情報として、会員ＩＤにポイントを対応付けした情報を記憶している。なお、各種ＤＢ２〜６が管理する記憶資源は、同じ記憶装置にあってもよいし、分散配置されていてもよい。そして、本実施例のアフィリエイト装置１は、ＷＷＷサーバー機能を備えたコンピュータにインストールされたプログラムの実行により実現される。
【００２３】
＝＝＝サブスクライバＩＤの取得＝＝＝  
アフィリエイト装置１は、アクセスしてきたブラウザフォン２０のサブスクライバＩＤを取得する。具体的には、ブラウザフォン２０がＷｅｂページを取り寄せる際、ＨＴＴＰリクエストのヘッダ部分に自身のサブスクライバＩＤが含ませてアフィリエイト装置に送付している。サブスクライバＩＤは、ヘッダ情報中の環境変数「HTTP_X_UP_SUBNO」により指定・記述されている。アフィリエイト装置１はそのサブスクライバＩＤを取得する。
【００２４】
＝＝＝会員登録（ｓ１０）＝＝＝
図２にアフィリエイト装置１を主体としたアフィリエイト・プログラムの実施手順を、アフィリエイト装置１、ブラウザフォン２０、マーチャントサイト３０のそれぞれの間での通信手順図によって示した。アフィリエイト装置１は、会員登録を受け付けるＷｅｂページ（会員登録ページ）を用意しており、ポイントサービスを享受したいユーザは、自身のブラウザフォン２０にて会員登録ページを取り寄せる（ｓ１１，ｓ１２）。会員登録ページには、個人情報（氏名、連絡先、年齢、性別など）を入力するためのフォームが含まれている。ブラウザフォン２０にて、所定のフォームに所要事項を入力して、それを送信する旨の指示を行うと、ＨＴＴＰリクエストとして、フォームデータがサブスクライバＩＤとともにアフィリエイト装置１に送付される（ｓ１３，ｓ１４）。アフィリエイト装置１はブラウザフォン２０からのフォームデータとサブスクライバＩＤとを対応付けして会員ＤＢ２に記憶する（ｓ１５）。なお、ユーザのメールアドレスについては、アフィリエイト装置１を宛先とした本文空白の空メールを送信させることで取得することもできる。
【００２５】
アフィリエイト装置１は、アクセスしてきたブラウザフォン２０のサブスクライバＩＤを取得し、当該ＩＤが会員ＤＢ２に登録済みであれば、このブラウザフォン２０を会員の者として認知し窓口ページを返送する。
【００２６】
＝＝＝クリックデータ取得（ｓ２０）＝＝＝
サブスクライバＩＤによる認証手続きを経たブラウザフォン２０がアフィリエイト装置１から窓口ページを取り寄せる（ｓ２１，ｓ２２）。この窓口ページには、ブラウザフォン２０をマーチャントサイト３０へアクセスさせるためのリンクが設定されている。具体的には、窓口ページにおけるマーチャントサイト３０へのリンク記載部分には、アフィリエイト装置１の所定のＣＧＩに、当該マーチャントサイトの識別子（マーチャントＩＤ）を送付する旨のＵＲＬが含まれており、窓口ページを取り寄せたブラウザフォン２０にて、あるマーチャントサイト３０へのリンクが指示されると、その指示情報として、マーチャントＩＤが前記ＣＧＩに送達される（ｓ２３）。このＣＧＩは、アクセスしてきたブラウザフォン２０のサブスクライバＩＤを取得し、そのサブスクライバＩＤとマーチャントＩＤとを対応付けしてクリックＤＢ３にログとして記録する（ｓ２４）。また、マーチャントＤＢ３の記憶情報に基づいて、取得したマーチャントＩＤにより特定されるマーチャントサイトへブラウザフォンをリダイレクトによりアクセスさせるためのＵＲＬを含んだＨＴＴＰレスポンスを返送する（ｓ２５）。それによって、ブラウザフォン２０はマーチャントサイト３０の所定のＷｅｂページを取り寄せる（ｓ２６，ｓ２７）
＝＝＝トランザクション記録（ｓ３０）＝＝＝
ブラウザフォン２０が前記リダイレクトによりマーチャントサイト３０にアクセスし、当該サイト３０内で何らかのトランザクションを発生させたとする（ｓ３１）。マーチャントサイト３０では、そのトランザクションを発生させたブラウザフォン２０に、例えば、アンケートを受け付けた旨や電子商取引を完了させた旨などを通知するための確認ページを送付する（ｓ３２）。そして、この確認ページをブラウザフォン２０に送達する際、当該ブラウザフォン２０のサブスクライバＩＤとトランザクションの内容を含むトランザクション完遂情報がアフィリエイト装置１へ送達されるようにしている。
【００２７】
本実施例では、確認ページ中に周知の「img」タグにより挿入される画像のリンク先として、アフィリエイト装置１にマーチャントＩＤを引数として送付する旨のＵＲＬが含まれており、ブラウザフォン２０が確認ページを記述するＨＴＭＬを解釈し（ｓ３３）、挿入画像を確認ページに埋め込む際、アフィリエイト装置１にアクセスしマーチャントＩＤを送付し（ｓ３４）、挿入画像を返送してらう。アフィリエイト装置１は、画像を取り寄せにきたブラウザフォン２０から受け取ったマーチャントＩＤと、当該アクセスにより取得されるサブスクライバＩＤとをクリックＤＢ４に照会し、そのマーチャントＩＤとサブスクライバＩＤとの対応付けがクリックＤＢ４にあれば、当該トランザクション完遂情報を成果ＤＢ５に格納する（ｓ３５）。そして、確認ページ挿入される画像データをブラウザフォンに返送し（ｓ３６）、ブラウザフォンはその画像を含んだ確認ページにして表示する（ｓ３７）。もちろん、マーチャントサイト３０側でサブスクライバＩＤを取得するとともに、確認ページをブラウザフォン２０に送付する処理に並行して自身のマーチャントＩＤと取得したサブスクライバＩＤとをアフィリエイト装置１に送付する構成としてもよい。
【００２８】
なお、ブラウザフォン２０が窓口ページを経由してマーチャントサイト３０アクセスしたときにはトランザクションを発生させず、後日窓口ページを経由せずにマーチャントサイト３０にアクセスしてトランザクションを発生させる可能性もある。この場合、例えば、クリックデータベースに窓口ページ経由でマーチャントサイトへアクセスした際の日時と、トランザクション完遂情報を受け付けた日時とを比較し、所定の時間内であれば、当該トランザクションをアフィリエイト・プログラムによる成功報酬の対象として認めるなど、マーチャントサイトへの最初のアクセスからトランザクションまでの期間に有効期限を設けてもよい。この期限はサービス提供者とマーチャントサイトの運営者との契約に基づいて適宜に設定すればよい。
【００２９】
また、同一のサブスクライバＩＤのブラウザフォン２０が同じマーチャントサイトで複数回のトランザクションを発生させた場合、２回目以降のトランザクションを成功報酬の対象にしない、あるいは連続する２回のトランザクションの発生日時が所定の時間以内であれば２回目のトランザクションは成功報酬の対象にしないなど、適宜に設定出来る。こレらの設定はマーチャントＤＢ３に記載しておけばよく、成功報酬対象外のトランザクションについては、その完遂情報を成果ＤＢ５に記録しなければよい。
【００３０】
＝＝＝ポイント登録（ｓ４０）＝＝＝
アフィリエイト装置１は、定期的に成果ＤＢを検索し、トランザクション完遂情報の内容を調査する。そして、マーチャントＩＤとトランザクションの内容に応じてマーチャントサイト３０の管理者側へ、アフィリエイト・プログラムに基づく成功報酬を請求するなどその後の業務に移行させる。また、サブスクライバＩＤに基づいて特定される会員に、マーチャントＤＢ３の格納情報に基づくトランザクションの内容に対応するポイントを対応付けしてポイントＤＢ６に格納する（ｓ４１）。そして、ポイントＤＢ６の格納情報に基づいて適時に適宜な方法でポイントを該当の会員に還元する。
【００３１】
＝＝＝ビジネスモデル＝＝＝
本発明のアフィリエイト装置１によれば、従来、トラッキングが不可能だったブラウザフォンを対象としてアフィリエイト・プログラムに成功報酬形の広告掲載ビジネスを展開することができる。また、窓口ページを介して公式サイトのマーチャントサイト３０へアクセスできるようにしておけば、ユーザは、公式サイトにおけるトランザクション以後の手続きを安心・簡単に行えるとともに、従来では期待できなかったポイントサービスなどの付加サービスを享受することが出来る。また、マーチャントサイト３０でも、ポイントサービスの実施に関わる設備投資をすることなく、ユーザがポイントサービスを目的として当該アフィリエイト装置１を経由して自身のブラウザフォン２０をアクセスさせる可能性が高くなり、より多くのトランザクションの発生が期待できる。
【図面の簡単な説明】
【００３２】
【図１】本発明の実施例におけるアフィリエイト・プログラム実施装置を含むネットワーク構成図である。
【図２】上記アフィリエイト・プログラム実施装置を主体として実施されるアフィリエイト・プログラムに関わる処理の流れ図である。
【符号の説明】
【００３３】
１  アフィリエイト・プログラム実施装置
２  会員データベース
３  マーチャントデータベース
４  クリックデータベース
５  成果データベース
６  ポイントデータベース
２０  ブラウザフォン
３０  ＷＷＷサーバー（マーチャントサイト）
４０  インターネット
５０  移動体通信網
【図１】
2006259983.tif 000003
【図２】
2006259983.tif 000004